(57)【要約】無指向性の垂直偏波アンテナは、ある円の円周上に等間隔に配置されるｋ（ｋ≧３）個のモノポールアンテナで構成され、無指向性の水平偏波アンテナは、反射板に直交する第１の方向にｍ（ｍ≧２）層に積層された第１乃至第ｍの無指向性アンテナで構成され、第１乃至第ｍの無指向性アンテナは、ｎ個の半波長ダイポールアンテナで構成され、第１の方向と反対側の方向から見た時に、第１乃至第ｍの無指向性アンテナを構成するｎ（ｎ≧３）個の半波長ダイポールアンテナは、それぞれ円弧状の導電体で構成され、直径が異なるｍ個の円の円周上に等間隔に配置され、第１乃至第ｍの無指向性アンテナは、反射板から第１の方向に向かって積層されている。それにより、半波長ダイポールアンテナを使用し、従来よりも、指向性の偏差が少ない無指向性の水平面内指向性を実現した無指向性アンテナを使用した偏波共用アンテナを提供する。
2014034490.tif 000002
【特許請求の範囲】
【請求項１】
ｎを３以上の整数とするとき、同相の励振電力が供給されるｎ個の半波長ダイポールアンテナを有し、
前記ｎ個の半波長ダイポールアンテナは、ある円の円周の一部を構成するように湾曲された円弧状の導電体で構成され、当該ある円の円周上に等間隔に配置されていることを特徴とするアンテナ。
【請求項２】
ｋを３以上の整数とするとき、ある円の円周上に等間隔に配置されるとともに、それぞれ同相の励振電力が供給されて、当該ある円に垂直な偏波を送受信し、当該ある円が含まれる面に平行な方向に対して無指向性を有するｋ個のモノポールアンテナをさらに備えることを特徴とする請求項１に記載のアンテナ。
【請求項３】
反射板と、
ｍを２以上の整数とするとき、前記反射板の面に直交する第１の方向に積層され、前記反射板の表面に平行な方向に対して無指向性を有する第１の無指向性アンテナから第ｍの無指向性アンテナと、を備え、
前記第１の無指向性アンテナ乃至前記第ｍの無指向性アンテナのそれぞれは、ｎを３以上の整数とするとき、同相の励振電力が供給されるｎ個の半波長ダイポールアンテナを備え、
前記ｎ個の半波長ダイポールアンテナのそれぞれは、前記第１の方向と反対側の方向から見て、ある円の円周の一部を構成するように湾曲された円弧状の導電体で構成され、当該ある円の円周の円周上に等間隔に配置され、
前記ある円の直径は、前記第１の無指向性アンテナ乃至前記第ｍの無指向性アンテナのそれぞれにおいて異なり、
前記反射板の表面に平行な偏波を送受信する
ことを特徴とするアンテナ。
【請求項４】
ｋを３以上の整数とするとき、前記反射板上に配置され、ある円の円周上に等間隔に配置されるとともに、それぞれ同相の励振電力が供給されて、当該反射板の表面に垂直な偏波を送受信し、前記反射板の表面に平行な方向に対して無指向性を有するｋ個のモノポールアンテナをさらに備えることを特徴とする請求項３に記載のアンテナ。
【請求項５】
前記第１の無指向性アンテナ乃至前記第ｍの無指向性アンテナにおいて、少なくとも１個の無指向性アンテナが、前記ｎ個の半波長ダイポールアンテナの近傍にｎ個の寄生素子を有することを特徴とする請求項３又は請求項４に記載のアンテナ。
【請求項６】
前記ｎは、３または４であることを特徴とする請求項１乃至５のいずれか１項に記載のアンテナ。
【請求項７】
前記ｋは、３または４であることを特徴とする請求項２又は４に記載のアンテナ。
【請求項８】
前記ｍは、２であることを特徴とする請求項３乃至７のいずれか１項に記載のアンテナ。
【発明の詳細な説明】
【技術分野】
【０００１】
本発明は、無指向性アンテナ、偏波共用アンテナなどのアンテナに係わり、特に、半波長ダイポールアンテナを使用し、無指向性の水平面内指向性を実現する際に有効な技術に関する。
【背景技術】
【０００２】
携帯電話等の移動通信では垂直偏波の電波が利用される。そのため、移動無線用基地局アンテナのアレイアンテナにおいては、垂直偏波用の半波長ダイポールアンテナが使用されることが多い。周知の如く、半波長ダイポールアンテナはダイポール軸と直交する面内（磁界（Ｈ）面内）で無指向性である。
近年、この移動無線用基地局アンテナとして、水平偏波および垂直偏波の両方の電波を受信できる偏波共用アンテナであって、共に無指向性のものが要求されている。
しかしながら、水平偏波の電波を受信するアンテナとして、半波長ダイポールアンテナを使用する場合に、半波長ダイポールアンテナはダイポール軸を含む面内（電界（Ｅ）面内）では８字型の指向特性を有している。そのため、水平偏波の電波を受信するアンテナとして半波長ダイポールアンテナを使用する場合に、無指向性の水平面指向特性を得ることが困難であった。
前述の問題点を解決するために、半波長ダイポールアンテナを円弧状に湾曲させて、無指向性の水平面内指向特性を得るようすることが下記特許文献１に開示されている。
【先行技術文献】
【特許文献】
【０００３】
【特許文献１】特開平１１−６８４４６号公報
【発明の概要】
【発明が解決しようとする課題】
【０００４】
しかしながら、前述の特許文献１にも記載されているように、前述の特許文献１に開示されているアンテナでは、指向性の偏差が５ｄＢ以下のほぼ無指向性の指向特性が得られるだけである。
本発明は、前記従来技術の問題点を解決するためになされたものであり、本発明の目的は、半波長ダイポールアンテナを使用し、従来よりも、指向性の偏差が少ない無指向性の水平面内指向性を実現した無指向性アンテナを提供することにある。
また、本発明の他の目的は、前述の無指向性アンテナを使用した偏波共用アンテナを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）ｎを３以上の整数とするとき、同相の励振電力が供給されるｎ個の半波長ダイポールアンテナを有し、前記ｎ個の半波長ダイポールアンテナは、ある円の円周の一部を構成するように湾曲された円弧状の導電体で構成され、当該ある円の円周上に等間隔に配置されているアンテナである。
（２）（１）において、ｋを３以上の整数とするとき、ある円の円周上に等間隔に配置されるとともに、それぞれ同相の励振電力が供給されて、当該ある円に垂直な偏波を送受信し、当該ある円が含まれる面に平行な方向に対して無指向性を有するｋ個のモノポールアンテナをさらに備える。【０００６】
（３）反射板と、ｍを２以上の整数とするとき、前記反射板の面に直交する第１の方向に積層され、前記反射板の表面に平行な方向に対して無指向性を有する第１の無指向性アンテナから第ｍの無指向性アンテナと、を備え、前記第１の無指向性アンテナ乃至前記第ｍの無指向性アンテナのそれぞれは、ｎを３以上の整数とするとき、同相の励振電力が供給されるｎ個の半波長ダイポールアンテナを備え、前記ｎ個の半波長ダイポールアンテナのそれぞれは、前記第１の方向と反対側の方向から見て、ある円の円周の一部を構成するように湾曲された円弧状の導電体で構成され、当該ある円の円周の円周上に等間隔に配置され、前記ある円の直径は、前記第１の無指向性アンテナ乃至前記第ｍの無指向性アンテナのそれぞれにおいて異なり、前記反射板の表面に平行な偏波を送受信するアンテナである。
（４）（３）において、ｋを３以上の整数とするとき、前記反射板上に配置され、ある円の円周上に等間隔に配置されるとともに、それぞれ同相の励振電力が供給されて、当該反射板の表面に垂直な偏波を送受信し、前記反射板の表面に平行な方向に対して無指向性を有するｋ個のモノポールアンテナをさらに備える。
（５）（３）又は（４）において、前記第１の無指向性アンテナ乃至前記第ｍの無指向性アンテナにおいて、少なくとも１個の無指向性アンテナが、前記ｎ個の半波長ダイポールアンテナの近傍にｎ個の寄生素子を有する。【０００７】
（６）（１）乃至（５）のいずれかにおいて、前記ｎは、３または４である。
（７）（２）又は（４）において、前記ｋは、３または４である。
（８）（３）乃至（７）のいずれかにおいて、前記ｍは、２である。
【発明の効果】
【０００８】
本願において開示される発明のうち代表的なものによって得られる効果を簡単に説明すれば、下記の通りである。
本発明によれば、半波長ダイポールアンテナを使用し、従来よりも、指向性の偏差が少ない無指向性の水平面内指向性を実現した無指向性アンテナおよび偏波共用アンテナを提供することが可能となる。
【図面の簡単な説明】
【０００９】
【図１】本発明の実施例の偏波共用アンテナの概略構成を示す斜視図である。
【図２】本発明の実施例の偏波共用アンテナの側面図である。
【図３】本発明の実施例の第２の無指向性の水平偏波アンテナを説明するための図である。
【図４】本発明の実施例の寄生素子を説明するための図である。
【図５】本発明の実施例の第１の無指向性の水平偏波アンテナを説明するための図である。
【図６】本発明の実施例の無指向性の垂直偏波アンテナを説明するための図である。
【図７】本発明の実施例の偏波共用アンテナの周波数ｆ１（８００ＭＨｚ帯の周波数）における、水平偏波の指向特性（電界面内指向特性）を示すグラフである。
【図８】本発明の実施例の偏波共用アンテナの周波数ｆ２（１．５ＧＨｚ帯の周波数）における、水平偏波の指向特性（電界面内指向特性）を示すグラフである。
【図９】本発明の実施例の偏波共用アンテナの周波数ｆ３（２．０ＧＨｚ帯の周波数）における、水平偏波の指向特性（電界面内指向特性）を示すグラフである。
【図１０】本発明の実施例の偏波共用アンテナの周波数ｆ１（８００ＭＨｚ帯の周波数）における、垂直偏波の指向特性（磁界面内指向特性）を示すグラフである。
【図１１】本発明の実施例の偏波共用アンテナの周波数ｆ２（１．５ＧＨｚ帯の周波数）における、垂直偏波の指向特性（磁界面内指向特性）を示すグラフである。
【図１２】本発明の実施例の偏波共用アンテナの周波数ｆ３（２．０ＧＨｚ帯の周波数）における、垂直偏波の指向特性（磁界面内指向特性）を示すグラフである。
【図１３】本発明の実施例の偏波共用アンテナにおける無指向性の水平偏波アンテナのＶＳＷＲの周波数特性を示すグラフである。
【図１４】本発明の実施例の偏波共用アンテナにおける無指向性の垂直偏波アンテナのＶＳＷＲの周波数特性を示すグラフである。
【図１５】本発明の水平偏波アンテナの変形例１の概略構成を示す斜視図である。
【図１６】本発明の水平偏波アンテナの変形例２の概略構成を示す斜視図である。
【図１７】本発明の水平偏波アンテナの変形例３の概略構成を示す斜視図である。
【発明を実施するための形態】
【００１０】
以下、図面を参照して本発明の実施例を詳細に説明する。
なお、実施例を説明するための全図において、同一機能を有するものは同一符号を付け、その繰り返しの説明は省略する。また、以下の実施例は、本発明の請求の範囲の解釈を限定するためのものではない。
［実施例１］
図１は、本発明の実施例の偏波共用アンテナの概略構成を示す斜視図である。
図２は、本発明の実施例の偏波共用アンテナの側面図である。
図１、図２において、１は反射板、２０は無指向性の垂直偏波アンテナ、１０１は第１の無指向性の水平偏波アンテナ、３０は寄生素子、１０２は第２の無指向性の水平偏波アンテナである。
本実施例の偏波共用アンテナは、反射板１の表面が地表に平行に配置される。よって、図２において、紙面の上下方向が垂直方向、紙面の左右方向が水平方向となる。そして、垂直方向に電界が振動する偏波を垂直偏波、水平方向に電界が振動する偏波を水平偏波と表記する。
本実施例の偏波共用アンテナは、ｆ１の周波数（８００ＭＨｚ帯の周波数）と、ｆ２の周波数（１．５ＧＨｚ帯の周波数）と、ｆ３の周波数（２．０ＧＨｚ帯の周波数）の３つの周波数の、水平偏波および垂直偏波の電波を放射する。
図２に示すように、反射板１は、一辺がＬ２（＝０．７５λｆ１）の四角形の導電板で構成される。ここで、反射板１は、例えば、誘電体基板上にプリント配線技術で形成してもよい。なお、λｆ１は、周波数ｆ１の自由空間波長である。
この反射板１上には、垂直偏波の電波を放射する、無指向性の垂直偏波アンテナ２０が配置される。
そして、無指向性の垂直偏波アンテナ２０の上には、第１の無指向性の水平偏波アンテナ１０１と、第２の無指向性の水平偏波アンテナ１０２とが配置される。
さらに、第１の無指向性の水平偏波アンテナ１０１の上（第１の無指向性の水平偏波アンテナ１０１と第２の無指向性の水平偏波アンテナ１０２との間）に、寄生素子３０が配置される。
【００１１】
図１に示すように、無指向性の垂直偏波アンテナ２０は、３個のモノポールアンテナで構成される。
図６は、本発明の実施例の無指向性の垂直偏波アンテナ２０を説明するための図である。
本実施例のモノポールアンテナは、短辺がＬ８（＝０．１２λｆ１）、長辺がＬ９（＝０．１５λｆ１）の矩形形状の導電板５で構成される。
矩形形状の導電板５で構成される３個のモノポールアンテナは、ｆ１と、ｆ２と、ｆ３の３つの周波数の、無指向性の垂直偏波の電波を放射する。なお、矩形形状の導電板５は、誘電体基板上にプリント配線技術で形成してもよく、あるいは、金属の板などを使用してもよい。ここで、矩形形状の導電板５で構成される３個のモノポールアンテナは、中心を通る中心線が１２０°で交差するように配置される。
【００１２】
図５は、本発明の実施例の第１の無指向性の水平偏波アンテナ１０１を説明するための図である。
本実施例の第１の無指向性の水平偏波アンテナ１０１は、ある円の円周の一部を構成するように湾曲された円弧状の導電体で構成され、当該ある円の円周上に等間隔に配置される３個の半波長ダイポールアンテナ（３ａ，３ｂ，３ｃ）で構成される。
半波長ダイポールアンテナ（３ａ，３ｂ，３ｃ）は、周波数（ｆ２，ｆ３）の、無指向性の水平偏波の電波を放射する。
ここで、３個の半波長ダイポールアンテナ（３ａ，３ｂ，３ｃ）に外接する円の直径はＬ７（＝０．５７λｆ２）とされる。また、３個の半波長ダイポールアンテナ（３ａ，３ｂ，３ｃ）と反射板１との間の間隔はＬ４（＝０．３６λｆ２）とされる（図２参照）。なお、λｆ２は、周波数ｆ２の自由空間波長である。
また、３個の半波長ダイポールアンテナ（３ａ，３ｂ，３ｃ）とは、誘電体基板２上にプリント配線技術で形成してもよく、あるいは、金属の板、棒、管などを使用してもよい。
【００１３】
図３は、本発明の実施例の第２の無指向性の水平偏波アンテナ１０２を説明するための図である。
本実施例の第２の無指向性の水平偏波アンテナ１０２は、ある円の円周の一部を構成するように湾曲された円弧状の導電体で構成され、当該ある円の円周上に等間隔に配置される３個の半波長ダイポールアンテナ（５ａ，５ｂ，５ｃ）で構成される。
半波長ダイポールアンテナ（５ａ，５ｂ，５ｃ）は、周波数（ｆ１）の、水平偏波の電波を放射する。
ここで、３個の半波長ダイポールアンテナ（５ａ，５ｂ，５ｃ）に外接する円の直径はＬ５（＝０．３８λｆ１）とされる。また、３個の半波長ダイポールアンテナ（５ａ，５ｂ，５ｃ）と反射板１との間の間隔はＬ１（＝０．２６λｆ１）とされる（図２参照）。
また、３個の半波長ダイポールアンテナ（５ａ，５ｂ，５ｃ）は、誘電体基板２上にプリント配線技術で形成してもよく、あるいは、金属の板、棒、管などを使用してもよい。
【００１４】
図４は、本発明の実施例の寄生素子３０を説明するための図である。図４に示すように、寄生素子３０は、長さがＬ６（＝０．３６λｆ２）の３個の導電体（４ａ，４ｂ，４ｃ）で構成される。ここで、３個の導電体（４ａ，４ｂ，４ｃ）と反射板１との間の間隔はＬ３（＝０．４８λｆ２）とされる（図２参照）。なお、３個の導電体（４ａ，４ｂ，４ｃ）は、誘電体基板２上にプリント配線技術で形成してもよく、あるいは、金属の板、棒、管などを使用してもよい。
図４に示すように、３個の導電体（４ａ，４ｂ，４ｃ）は、第１の無指向性の水平偏波アンテナ１０１の上で、中心を通る中心線が３個の半波長ダイポールアンテナ（３ａ，３ｂ，３ｃ）の中心を通り、かつ、中心を通る中心線が１２０°で交差するように配置される。
【００１５】
図７は、本発明の実施例の偏波共用アンテナの周波数ｆ１（８００ＭＨｚ帯の周波数）における、水平偏波の指向特性（電界面内指向特性）を示すグラフである。
図８は、本発明の実施例の偏波共用アンテナの周波数ｆ２（１．５ＧＨｚ帯の周波数）における、水平偏波の指向特性（電界面内指向特性）を示すグラフである。
図９は、本発明の実施例の偏波共用アンテナの周波数ｆ３（２．０ＧＨｚ帯の周波数）における、水平偏波の指向特性（電界面内指向特性）を示すグラフである。
図７乃至図９に示すように、本実施例では、水平偏波の指向特性として、指向性の偏差が少ない無指向性特性が得られる。
前述したように、半波長ダイポールアンテナはダイポール軸を含む面内（電界（Ｅ）面内）では８字型の指向特性を有しているが、本実施例のように、円弧状の導電体で構成される半波長ダイポールアンテナを３個、ある円の円周上に等間隔に配置することにより、ダイポール軸を含む面内（水平面内；電界（Ｅ）面内）で無指向性の特性を得ることができる。
【００１６】
図１０は、本発明の実施例の偏波共用アンテナの周波数ｆ１（８００ＭＨｚ帯の周波数）における、垂直偏波の指向特性（磁界面内指向特性）を示すグラフである。
図１１は、本発明の実施例の偏波共用アンテナの周波数ｆ２（１．５ＧＨｚ帯の周波数）における、垂直偏波の指向特性（磁界面内指向特性）を示すグラフである。
図１２は、本発明の実施例の偏波共用アンテナの周波数ｆ３（２．０ＧＨｚ帯の周波数）における、垂直偏波の指向特性（磁界面内指向特性）を示すグラフである。
図１０乃至図１２に示すように、本実施例では、垂直偏波の指向特性としても、指向性の偏差が少ない無指向性特性が得られる。
図１３は、本発明の実施例の偏波共用アンテナにおける無指向性の水平偏波アンテナのＶＳＷＲの周波数特性を示すグラフであり、図１４は、本発明の実施例の偏波共用アンテナにおける無指向性の垂直偏波アンテナのＶＳＷＲの周波数特性を示すグラフである。
図１３に示す水平偏波の１．５ＧＨｚ帯の周波数と、２．０ＧＨｚ帯の周波数とは、第１の無指向性の水平偏波アンテナ１０１を構成する３個の半波長ダイポールアンテナ（３ａ，３ｂ，３ｃ）のＶＳＷＲである。水平偏波の８００ＭＨｚ帯の周波数は、第２の無指向性の水平偏波アンテナ１０２を構成する３個の半波長ダイポールアンテナ（５ａ，５ｂ，５ｃ）のＶＳＷＲである。
また、図１４に示すように、無指向性の垂直偏波アンテナ２０を構成する、矩形形状の導電板５で構成される３個のモノポールアンテナのＶＳＷＲは、広帯域特性を有することが分かる。
【００１７】
図１５は、本発明の水平偏波アンテナの変形例１の概略構成を示す斜視図である。
図１５に示す水平偏波アンテナは、Ｎが４以上の整数とするとき、無指向性の水平偏波アンテナを、第１の無指向性の水平偏波アンテナ１０１、第２の無指向性の水平偏波アンテナ１０２、乃至第Ｎの無指向性の水平偏波アンテナ１０Ｎで構成したものである。
ここで、第１の無指向性の水平偏波アンテナ１０１、第２の無指向性の水平偏波アンテナ１０２、乃至第Ｎの無指向性の水平偏波アンテナ１０Ｎは、それぞれがある円の円周の一部を構成するように湾曲された円弧状の導電体で構成され、当該ある円の円周上に等間隔に配置される３個の半波長ダイポールアンテナ（６ａ，６ｂ，６ｃ）で構成される。
なお、図１５に示す変形例１において、第１の無指向性の水平偏波アンテナ１０１、乃至第（Ｎ−１）の無指向性の水平偏波アンテナ１０Ｎ―１の中の少なくとも１つの上には、寄生素子３０が配置される。図１５では、寄生素子３０を第１の無指向性の水平偏波アンテナ１０１上に配置した場合を図示している。
図１５に示す偏波共用アンテナは、Ｎ個の周波数以上の無指向性の水平偏波の電波を放射することが可能である。
【００１８】
図１６は、本発明の水平偏波水平偏波アンテナの変形例２の概略構成を示す斜視図である。
図１６に示す水平偏波アンテナは、無指向性の水平偏波アンテナを構成する、第１の無指向性の水平偏波アンテナ１０１、第２の無指向性の水平偏波アンテナ１０２、乃至第Ｎの無指向性の水平偏波アンテナ１０Ｎを、ｊが４以上の整数とするとき、円弧状の導電体で構成され、ある円の円周上に等間隔に配置されるｊ個の半波長ダイポールアンテナ（６ａ，６ｂ，〜６ｊ）で構成したものである。
図１６に示す変形例２では、水平偏波特性として、より指向性の偏差の少ない無指向性特性を得ることが可能である。
なお、無指向性の垂直偏波アンテナも、ｋを４以上の整数とするとき、ｋ個のモノポールアンテナで構成するようにしてもよい。この場合には、垂直偏波特性として、より指向性の偏差の少ない無指向性特性を得ることが可能である。
【００１９】
図１７は、本発明の水平偏波アンテナの変形例３の概略構成を示す斜視図である。
図１７に示す水平偏波アンテナは、反射板１に近い位置に配置される、無指向性の水平偏波アンテナを構成する第１の無指向性の水平偏波アンテナ１０１が、ｆ１の周波数（８００ＭＨｚ帯の周波数）を放射し、当該第１の無指向性の水平偏波アンテナ１０１上に、ｆ２（１．５ＧＨｚ帯の周波数）と、ｆ３（２．０ＧＨｚ帯の周波数）の２つの周波数を放射する第２の無指向性の水平偏波アンテナ１０２を配置したものである。
図１７に示す水平偏波アンテナでは、ある円の円周の一部を構成するように湾曲された円弧状の導電体で構成され、当該ある円の円周上に等間隔に配置される３個の半波長ダイポールアンテナの中で、円の直径が小さい水平偏波アンテナが円の直径が大きい水平偏波アンテナ上に配置されるので、寄生素子３０を省略することが可能である。
以上、本発明者によってなされた発明を、実施例及び変形例１、２、３に基づき具体的に説明したが、本発明は、実施例及び変形例１、２、３に限定されるものではなく、その要旨を逸脱しない範囲において種々変更可能であることは勿論である。
【符号の説明】
【００２０】
１  反射板
３ａ，３ｂ，３ｃ，５ａ，５ｂ，５ｃ，６ａ，６ｂ，６ｃ，６ｊ  円弧状のダイポールアンテナ
４ａ，４ｂ，４ｃ  導電体
５  モノポールアンテナ
１０１，１０２，１０３，１０Ｎ  無指向性の水平偏波アンテナ
２０  無指向性の垂直偏波アンテナ
３０  寄生素子
【図１】
2014034490.tif 000003
【図２】
2014034490.tif 000004
【図３】
2014034490.tif 000005
【図４】
2014034490.tif 000006
【図５】
2014034490.tif 000007
【図６】
2014034490.tif 000008
【図７】
2014034490.tif 000009
【図８】
2014034490.tif 000010
【図９】
2014034490.tif 000011
【図１０】
2014034490.tif 000012
【図１１】
2014034490.tif 000013
【図１２】
2014034490.tif 000014
【図１３】
2014034490.tif 000015
【図１４】
2014034490.tif 000016
【図１５】
2014034490.tif 000017
【図１６】
2014034490.tif 000018
【図１７】
2014034490.tif 000019
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
平面導電板と、
ｍを２以上の整数とするとき、前記平面導電板の面に直交する第１の方向に積層され、前記平面導電板の表面に平行な方向に対して無指向性を有する第１の無指向性アンテナから第ｍの無指向性アンテナと、を備え、
前記第１の無指向性アンテナ乃至前記第ｍの無指向性アンテナのそれぞれは、ｎを３以上の整数とするとき、同相の励振電力が供給されるｎ個の半波長ダイポールアンテナを有し、
前記ｎ個の半波長ダイポールアンテナは、ある円の円周の一部を構成するように湾曲された円弧状の導電体で構成され、当該ある円の円周上に等間隔に配置され、
前記平面導電板の表面に平行な偏波を送受信する
ことを特徴とするアンテナ。
【請求項２】
ｎを３以上の整数とするとき、ある円の円周上に等間隔に配置され、当該ある円の円周の一部を構成するように湾曲された円弧状の導電体で構成され、それぞれ同相の励振電力が供給されて、当該ある円に平行な偏波を送受信し、当該ある円が含まれる面に平行な方向に対して無指向性を有するｎ個の半波長ダイポールアンテナと、
ｋを３以上の整数とするとき、ある円の円周上に等間隔に配置されるとともに、それぞれ同相の励振電力が供給されて、当該ある円に垂直な偏波を送受信し、当該ある円が含まれる面に平行な方向に対して無指向性を有するｋ個のモノポールアンテナと
を備えることを特徴とするアンテナ。
【請求項３】
反射板と、
ｍを２以上の整数とするとき、前記反射板の面に直交する第１の方向に積層され、前記反射板の表面に平行な方向に対して無指向性を有する第１の無指向性アンテナから第ｍの無指向性アンテナと、を備え、
前記第１の無指向性アンテナ乃至前記第ｍの無指向性アンテナのそれぞれは、ｎを３以上の整数とするとき、同相の励振電力が供給されるｎ個の半波長ダイポールアンテナを備え、
前記ｎ個の半波長ダイポールアンテナのそれぞれは、前記第１の方向と反対側の方向から見て、ある円の円周の一部を構成するように湾曲された円弧状の導電体で構成され、当該ある円の円周の円周上に等間隔に配置され、
前記ある円の直径は、前記第１の無指向性アンテナ乃至前記第ｍの無指向性アンテナのそれぞれにおいて異なり、
前記反射板の表面に平行な偏波を送受信する
ことを特徴とするアンテナ。
【請求項４】
ｋを３以上の整数とするとき、前記反射板上に配置され、ある円の円周上に等間隔に配置されるとともに、それぞれ同相の励振電力が供給されて、当該反射板の表面に垂直な偏波を送受信し、前記反射板の表面に平行な方向に対して無指向性を有するｋ個のモノポールアンテナをさらに備えることを特徴とする請求項３に記載のアンテナ。
【請求項５】
前記第１の無指向性アンテナ乃至前記第ｍの無指向性アンテナにおいて、少なくとも１個の無指向性アンテナが、前記ｎ個の半波長ダイポールアンテナの近傍にｎ個の寄生素子を有することを特徴とする請求項３又は４に記載のアンテナ。
【請求項６】
（削除）
【請求項７】
（削除）
【請求項８】
（削除）
【手続補正書】
【提出日】平成27年2月16日(2015.2.16)
【手続補正１】
【補正対象書類名】明細書
【補正対象項目名】０００５
【補正方法】変更
【補正の内容】
【０００５】
本願において開示される発明のうち、代表的なものの概要を簡単に説明すれば、下記の通りである。
（１）平面導電板と、ｍを２以上の整数とするとき、前記平面導電板の面に直交する第１の方向に積層され、前記平面導電板の表面に平行な方向に対して無指向性を有する第１の無指向性アンテナから第ｍの無指向性アンテナと、を備え、前記第１の無指向性アンテナ乃至前記第ｍの無指向性アンテナのそれぞれは、ｎを３以上の整数とするとき、同相の励振電力が供給されるｎ個の半波長ダイポールアンテナを有し、前記ｎ個の半波長ダイポールアンテナは、ある円の円周の一部を構成するように湾曲された円弧状の導電体で構成され、当該ある円の円周上に等間隔に配置され、前記平面導電板の表面に平行な偏波を送受信するアンテナである。
（２）ｎを３以上の整数とするとき、ある円の円周上に等間隔に配置され、当該ある円の円周の一部を構成するように湾曲された円弧状の導電体で構成され、それぞれ同相の励振電力が供給されて、当該ある円に平行な偏波を送受信し、当該ある円が含まれる面に平行な方向に対して無指向性を有するｎ個の半波長ダイポールアンテナと、ｋを３以上の整数とするとき、ある円の円周上に等間隔に配置されるとともに、それぞれ同相の励振電力が供給されて、当該ある円に垂直な偏波を送受信し、当該ある円が含まれる面に平行な方向に対して無指向性を有するｋ個のモノポールアンテナと、を備えるアンテナである。
【手続補正２】
【補正対象書類名】明細書
【補正対象項目名】０００７
【補正方法】削除
【補正の内容】
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
平面導電板と、
ｍを２以上の整数とするとき、前記平面導電板の面に直交する第１の方向に積層され、前記平面導電板の表面に平行な方向に対して無指向性を有する第１の無指向性アンテナから第ｍの無指向性アンテナと、
前記第１の無指向性アンテナ乃至前記第（ｍ−１）の無指向性アンテナの少なくとも１上に設けられた複数の寄生素子と、を備え、
前記第１の無指向性アンテナ乃至前記第ｍの無指向性アンテナのそれぞれは、ｎを３以上の整数とするとき、同相の励振電力が供給されるｎ個の半波長ダイポールアンテナを有し、
前記ｎ個の半波長ダイポールアンテナは、ある円の円周の一部を構成するように湾曲された円弧状の導電体で構成され、当該ある円の円周上に等間隔に配置され、
前記平面導電板の表面に平行な偏波を送受信し、
前記複数の寄生素子はｎ個の寄生素子であって、当該ｎ個の寄生素子のそれぞれの中心線が、当該ｎ個の寄生素子が設けられる無指向性アンテナの前記ｎ個の半波長ダイポールアンテナの中心を通る
ことを特徴とするアンテナ。
【請求項２】
反射板と、
ｍを２以上の整数とするとき、前記反射板の面に直交する第１の方向に積層され、前記反射板の表面に平行な方向に対して無指向性を有する第１の無指向性アンテナから第ｍの無指向性アンテナと、
前記第１の無指向性アンテナ乃至前記第（ｍ−１）の無指向性アンテナの少なくとも１上に設けられた複数の寄生素子と、を備え、
前記第１の無指向性アンテナ乃至前記第ｍの無指向性アンテナのそれぞれは、ｎを３以上の整数とするとき、同相の励振電力が供給されるｎ個の半波長ダイポールアンテナを備え、
前記ｎ個の半波長ダイポールアンテナのそれぞれは、前記第１の方向と反対側の方向から見て、ある円の円周の一部を構成するように湾曲された円弧状の導電体で構成され、当該ある円の円周の円周上に等間隔に配置され、
前記ある円の直径は、前記第１の無指向性アンテナ乃至前記第ｍの無指向性アンテナのそれぞれにおいて異なり、
前記反射板の表面に平行な偏波を送受信し、
前記複数の寄生素子はｎ個の寄生素子であって、当該ｎ個の寄生素子のそれぞれの中心線が、当該ｎ個の寄生素子が設けられる無指向性アンテナの前記ｎ個の半波長ダイポールアンテナの中心を通る
ことを特徴とするアンテナ。
【請求項３】
ｋを３以上の整数とするとき、前記反射板上に配置され、ある円の円周上に等間隔に配置されるとともに、それぞれ同相の励振電力が供給されて、当該反射板の表面に垂直な偏波を送受信し、前記反射板の表面に平行な方向に対して無指向性を有するｋ個のモノポールアンテナをさらに備えることを特徴とする請求項２に記載のアンテナ。
【手続補正２】
【補正対象書類名】明細書
【補正対象項目名】０００５
【補正方法】変更
【補正の内容】
【０００５】
本願において開示される発明のうち、代表的なものの概要を簡単に説明すれば、下記の通りである。
（１）平面導電板と、ｍを２以上の整数とするとき、前記平面導電板の面に直交する第１の方向に積層され、前記平面導電板の表面に平行な方向に対して無指向性を有する第１の無指向性アンテナから第ｍの無指向性アンテナと、前記第１の無指向性アンテナ乃至前記第（ｍ−１）の無指向性アンテナの少なくとも１上に設けられた複数の寄生素子と、を備え、前記第１の無指向性アンテナ乃至前記第ｍの無指向性アンテナのそれぞれは、ｎを３以上の整数とするとき、同相の励振電力が供給されるｎ個の半波長ダイポールアンテナを有し、前記ｎ個の半波長ダイポールアンテナは、ある円の円周の一部を構成するように湾曲された円弧状の導電体で構成され、当該ある円の円周上に等間隔に配置され、前記平面導電板の表面に平行な偏波を送受信し、前記複数の寄生素子はｎ個の寄生素子であって、当該ｎ個の寄生素子のそれぞれの中心線が、当該ｎ個の寄生素子が設けられる無指向性アンテナの前記ｎ個の半波長ダイポールアンテナの中心を通るアンテナである。
【手続補正３】
【補正対象書類名】明細書
【補正対象項目名】０００６
【補正方法】変更
【補正の内容】
【０００６】
（２）反射板と、ｍを２以上の整数とするとき、前記反射板の面に直交する第１の方向に積層され、前記反射板の表面に平行な方向に対して無指向性を有する第１の無指向性アンテナから第ｍの無指向性アンテナと、前記第１の無指向性アンテナ乃至前記第（ｍ−１）の無指向性アンテナの少なくとも１上に設けられた複数の寄生素子と、を備え、前記第１の無指向性アンテナ乃至前記第ｍの無指向性アンテナのそれぞれは、ｎを３以上の整数とするとき、同相の励振電力が供給されるｎ個の半波長ダイポールアンテナを備え、前記ｎ個の半波長ダイポールアンテナのそれぞれは、前記第１の方向と反対側の方向から見て、ある円の円周の一部を構成するように湾曲された円弧状の導電体で構成され、当該ある円の円周の円周上に等間隔に配置され、前記ある円の直径は、前記第１の無指向性アンテナ乃至前記第ｍの無指向性アンテナのそれぞれにおいて異なり、前記反射板の表面に平行な偏波を送受信し、前記複数の寄生素子はｎ個の寄生素子であって、当該ｎ個の寄生素子のそれぞれの中心線が、当該ｎ個の寄生素子が設けられる無指向性アンテナの前記ｎ個の半波長ダイポールアンテナの中心を通るアンテナである。
（３）（２）において、ｋを３以上の整数とするとき、前記反射板上に配置され、ある円の円周上に等間隔に配置されるとともに、それぞれ同相の励振電力が供給されて、当該反射板の表面に垂直な偏波を送受信し、前記反射板の表面に平行な方向に対して無指向性を有するｋ個のモノポールアンテナをさらに備える。
【国際調査報告】
2014034490.tif 000020
2014034490.tif 000021
2014034490.tif 000022
2014034490.tif 000023